(57)【要約】【課題】外部装置で判定関連作業を行えるようなシステム構成とすることが可能な着順およびタイム判定装置を提供する。【解決手段】撮影した判定画像を外部装置（２３，２４）に表示させるためのファイル形式に変換する手段１３を備えることを特徴とする。【選択図】図１
2006174202.tif 000002
【特許請求の範囲】
【請求項１】
撮影した判定画像を外部装置に表示させるためのファイル形式に変換する手段を備えることを特徴とする着順およびタイム判定装置。
【請求項２】
撮影した判定画像を外部装置に表示させるためのファイル形式に変換し、該ファイル形式に変換した前記判定画像を前記外部装置に送信する手段を備え、前記外部装置の表示装置で表示可能とすることを特徴とする着順およびタイム判定装置。
【請求項３】
撮影した判定画像を外部装置に表示させるためのファイル形式に変換し、該ファイル形式に変換した前記判定画像を画像記録装置に記録し且つ記録終了信号を前記外部装置に送信する手段を備え、前記外部装置が前記画像記録装置に記録した前記判定画像を読み出して前記外部装置の表示装置で表示することを特徴とする着順およびタイム判定装置。
【発明の詳細な説明】
【技術分野】
【０００１】
本発明は、ラインセンサカメラを使用した競艇、競馬、競輪、陸上競技等の着順およびタイム判定装置に関するものである。
【背景技術】
【０００２】
従来のラインセンサカメラを使用した着順およびタイム判定装置は、ゴールライン等の判定基準線上を通過する移動体を、判定基準線に正確に一致させたラインセンサカメラを使用して撮像し、ラインセンサカメラの出力である一次元の映像信号を、走査変換機能を有する画像記録部に入力し、着順判定に必要な時間情報等とともに記憶し、記録した一次元の映像信号を二次元の映像信号に走査変換して着順判定に必要な時間情報等とともに上記画像記録部より読み出し、ビデオモニタに出力して、判定に必要な画像を表示するものである（例えば特許文献１参照）。
【０００３】
着順およびタイム判定装置を使用するものとしては、競艇、競馬、競輪、陸上競技等があり、ボート、馬、自転車、走者等の移動体がゴールライン等の判定基準線上を通過した際、判定画像として記録し読み出して表示する。
【０００４】
【特許文献１】特開２０００−１３４６１２号公報（第２から３頁、図１）
【発明の開示】
【発明が解決しようとする課題】
【０００５】
着順およびタイム判定装置において、記録された着順判定画像はその装置上にて判定員により着順、タイム測定の判定業務が行われる。
【０００６】
判定業務は、基本的には着順およびタイム判定装置にて記録から判定までを行うが、実際には判定業務はレースの間隔等の関係上、短時間で必要性も高く、したがって着順およびタイム判定装置のみですべての作業を行うことが大変な場合がある。そこで、判定画像を離れた外部装置である外部パソコンやＷｅｂ（許可されたネットワーク）に送信して表示し、外部装置で判定関連作業を行えるようなシステム構成があれば、作業の効率化を図ることができる。
【０００７】
そこで本発明の目的は、外部装置で判定関連作業を行えるようなシステム構成とすることが可能な着順およびタイム判定装置を提供することにある。
【課題を解決するための手段】
【０００８】
本発明は、撮影した判定画像を外部装置に表示させるためのファイル形式に変換する手段を備えることを特徴とする。
【０００９】
また本発明は、撮影した判定画像を外部装置に表示させるためのファイル形式に変換し、該ファイル形式に変換した前記判定画像を前記外部装置に送信する手段を備え、前記外部装置の表示装置で表示可能とすることを特徴とする。
【００１０】
また本発明は、撮影した判定画像を外部装置に表示させるためのファイル形式に変換し、該ファイル形式に変換した前記判定画像を画像記録装置に記録し且つ記録終了信号を前記外部装置に送信する手段を備え、前記外部装置が前記画像記録装置に記録した前記判定画像を読み出して前記外部装置の表示装置で表示することを特徴とする。
【発明の効果】
【００１１】
本発明によれば、外部装置で判定関連作業を行えるようなシステム構成とすることが可能な着順およびタイム判定装置を得ることができる。
【発明を実施するための最良の形態】
【００１２】
図１は本発明の着順およびタイム判定装置の一実施例を示すブロック図である。図１に示す着順およびタイム判定装置において、１はスタート／ゴールライン等の判定基準線、２は判定基準線１上を通過する移動体であるボート、３は３板カラーラインセンサカメラ、４はレンズ、５は画像記録部、１６はカラービデオモニタ、１７は画像記録装置、１８はビデオプリンタ、１９は予告信号、２０は基準タイマスタート信号、２１はメモリ取込み信号、２２は操作器を示している。
【００１３】
画像記録部５をさらに詳しく説明すると、６は３板カラーラインセンサカメラ３から出力されたアナログＲＧＢ映像信号をデジタル信号化するＡ／Ｄ変換回路、７はＡ／Ｄ変換回路６からのデジタルＲＧＢ映像信号をメモリ部に記憶させる書き込み回路、８はデジタルＲＧＢ映像信号やデジタル情報信号を記憶するメモリ部、９はメモリ部８に記憶したデジタルＲＧＢ映像信号やデジタル情報信号を走査変換して読み出す読み出し回路、１０はタイム発生器、１１はメモリ部８の書き込みおよび読み出しを制御するアドレス制御部、１２は文字発生器、１３は中央処理装置（以下、ＣＰＵと記す）、１４は外部からの入力信号とのインタフェイスを行うインタフェイス部、１６は外部装置の一例である外部パソコンとのインタフェイスを行う外部通信インタフェイス部である。
【００１４】
被写体である判定基準線上１を通過する移動体２を、レンズ４を使用して３板カラーラインセンサカメラ３により撮像し、一次元ＲＧＢ映像信号を得る。
【００１５】
３板カラーラインセンサカメラ３のＲＧＢ映像信号は、画像記録部５へ出力され、ＲＧＢ映像信号がＡ／Ｄ変換回路６によりデジタルＲＧＢ映像信号に変換され、書き込み回路７を経由して、メモリ部８へ書き込まれ記憶される。
【００１６】
メモリ部８は、３板カラーラインセンサカメラ３からのデジタルＲＧＢ映像データを記憶すると同時に、画像に重畳表示するための，タイム発生器１０からの例えばスタートからの経過時刻を示すタイムマーカなどの時間情報や、画像に重畳表示するための，文字発生器１２からの競技名等の文字や記号及び判定線などの、デジタル情報データを記憶する。このときデジタルＲＧＢ映像データとデジタル情報データを同期させ専用のファイルフォーマットとして記憶する。
【００１７】
読み出し回路９は、メモリ部８に記憶されているデジタルＲＧＢ映像データやデジタル情報データの中から着順およびタイム判定に必要な部分を、テレビジョン信号の，二次元の映像信号と情報信号として走査変換して読み出し、カラービデオモニタ１６へ出力する。
【００１８】
カラービデオモニタ１６は、読み出し回路９から入力された二次元のアナログ映像信号とアナログ情報信号とから着順およびタイムの判定に必要な画像を表示する。また、画像記録装置１７に記録して保存する。さらに、ビデオプリンタ１８にその画像をプリントすることも行える。
【００１９】
上記書き込み回路７、メモリ部８、読み出し回路９等は、アドレス制御部１１の制御信号により、書き込み、読み出しの制御が行われる。また、操作器２２からの、映像信号や情報信号等の信号の記録および読み出しの手段の選択による各種制御や、外部供給信号としての予告信号１９、基準タイマスタート信号２０、メモリ取込み信号２１は、インタフェイス部１４を経由し、装置全体の制御を含めＣＰＵ１３により管理される。
【００２０】
ここで、基準タイマスタート信号２０は、競艇では、スタート用の大時計から供給される０（ゼロ）秒の信号のことであり、基準タイマスタート信号（０秒）２０が入力されると、タイム発生器１０はタイム計測の基準となる０秒からのカウントを開始する。
【００２１】
また、予告信号１９は、基準タイマスタート信号２０に先立ち基準タイマスタート信号２０の数秒から数十秒のうちの特定時間前に入力され、所定時間遅延後の，基準タイマスタート信号２０の０．数秒前で、基準判定線１上の画像をメモリ部８に取込み開始するための信号である。
【００２２】
また、メモリ取込み信号２１は、ゴール時に基準判定線１上を通過する移動体２の画像データをメモリ部８に取込み開始するための信号のことであり、例えば操作者により操作される所定のスイッチを用い、このスイッチから供給する。
【００２３】
図２は図１のメモリ部８に記憶されるスタート判定画像２５を示す図である。時刻ｔ１は入力された予告信号１９を遅延させた，基準タイマスタート信号２０の０．数秒前で、基準判定線１上の画像データをメモリ部８に取込み開始する時刻を示す。取込み開始後、メモリ部８には１ラインごとに画像データが取込まれ記憶する。
【００２４】
次に、時刻ｔ２で、基準タイマスタート信号２０が入力されると、メモリ部８にスタート判定タイム用の０（ゼロ）秒のデータが取込まれ記憶するとともに判定用にスタートライン２６を記憶する。
【００２５】
次に、１秒後の時刻ｔ３で、再度基準タイマスタート信号２０が入力され、メモリ部８にスタート判定タイム用の１秒のデータが取込まれ記憶するとともに判定用に１秒のライン２７を記憶する。その後、メモリ部８は所定時間後の時刻ｔ４まで記憶し、時刻ｔ４で記憶を停止する。
【００２６】
上記時刻ｔ１からｔ４の間に、通過する移動体である複数のボート、図示では６台のボート２が通過し、メモリ部８にその画像データも取込まれ記憶する。
【００２７】
以上がスタート判定画像２５であり、ゴール判定用として、メモリ取込み信号２１が入力されると、図２の時刻ｔ４でメモリ部８への画像取込みを再開してゴール時の画像データが取込まれることで、スタート判定画像２５に連続してゴール判定画像が取込まれ記憶する。
【００２８】
メモリ部８上の画像データは、画像データと共にタイムマーカの時間データなどの情報データも同時に記録しており、実際の判定業務、計時はその画像で行う必要があるが、基本的にはその画像自体が時間軸で記録されているため、その画像があれば他のパソコン等で着差判定、速度測定等は可能である。
【００２９】
しかし、実際には判定業務はレースの間隔等の関係上、短時間で必要性も高く、装置のみですべての作業を行うことが大変な場合がある。そこで、判定画像を離れた外部装置に転送して表示し、外部装置で判定関連作業を行えるようなシステム構成があれば、作業の効率化を図ることができる。
【００３０】
画像記録部５に記録される画像データは、上述した通り、画像データと情報データとを同期させ専用のファイルフォーマットとして記録している。そのため画像記録部５では専用のファイルフォーマットで、記録したデータを読み出すこととなる。
【００３１】
したがって、読み出したデータを、そのまま、中央処理装置（ＣＰＵ）１３を経由して外部通信インタフェイス部１５から外部装置の一例である外部パソコン２３に送信しても、専用のファイルフォーマットの画像データは外部パソコン２３では読み出すことができない。
【００３２】
そこで、本発明では、外部パソコン２３に送信する画像を、一般的のパソコンで表示可能なファイル、例えばビットマップファイル、ＪＰＥＧファイル等のファイル形式に変換して送信する。このファイル形式は、画像のみのデータであり一般的なパソコンにて表示可能である。
【００３３】
このとき、外部パソコンとのインタフェイスとしては、メモリ上の画像データを外部装置でもつビットマップファイル等のファイル形式に変換し、外部通信インタフェイス部を介し直接送信する方法、また変換した画像データをハードディスク等の画像記録装置に記録し、その外部記録装置を、外部パソコンからその画像データを読みにいく等の方法が考えられる。
【００３４】
以下の本発明の一例では、ハードディスク等の画像記録装置１７に記録し、その後外部パソコン２３が画像記録装置１７に記録したファイルを読み出してディスプレイ２４で表示する方法について説明する。
【００３５】
メモリ部８上に判定画像が記憶された状態で、操作器２２からの画像送信スイッチが押されると、中央処理装置（ＣＰＵ）１３は、メモリ部８上に記憶された判定画像を読み出し、読み出し回路９のところで、外部パソコンでもつビットマップファイル等のファイル形式に変換し、変換した判定画像を画像記録装置１７に記録する。中央処理装置（ＣＰＵ）１３は、記録の終了を検知したら外部パソコン２３に記録終了信号を送信する。外部パソコン２３ではその信号を受信し、判定画像をディスプレイ２４に表示させるソフトウェアを起動させ、画像記録装置１７に記録された判定画像を読み出して、ディスプレイ２４に自動的に表示する。
【００３６】
以上記載したように、本発明の一例では、画像記録装置１７に判定画像を記録したら外部パソコン２３から判定画像を読み出してディスプレイ２４に表示することにより、作業を行いたいための自動的な表示をするシステム構成とした。
【００３７】
また、実際の判定画像は、メモリ部８上では連続した画像であり、実際には１画面で表示できない場合が多い。この場合は外部パソコン２３でスクロール等を行いディスプレイ２４に表示させることが可能である。
【００３８】
これにより、判定画像が外部パソコン２３にて操作が可能となり、参考データの取得、処理等の判定関連作業が単独に行うことができるため、作業の効率化が図れる。また、一般のディスプレイでの表示も可能となり、ファンサービスの画像として外部に送信することもできる。
【００３９】
以上の説明では、外部装置が外部パソコンの場合についてであったが、それに限らず、Ｗｅｂ（許可されたネットワーク）に置き換えて、中央処理装置（ＣＰＵ）１３が、メモリ部８上に記憶された判定画像を読み出し、読み出し回路９のところで、Ｗｅｂでもつファイル形式に変換し、変換した判定画像を画像記録装置１７に記録するようにすれば、同様に、参考データの取得、処理等の判定関連作業がＷｅｂを通じて別の場所で単独に行うことができるため、作業の効率化が図れ、またファンサービスの画像として外部に送信することもできる。
【図面の簡単な説明】
【００４０】
【図１】本発明の着順およびタイム判定装置の一実施例を示すブロック図である。
【図２】図１のメモリ部に記憶される判定画像を示す図である。
【符号の説明】
【００４１】
１：判定基準線、２：移動体、３：カラーラインセンサカメラ、４：レンズ、５：画像記録部、６：Ａ／Ｄ変換器、７：書き込み回路、８：メモリ部、９：読み出し回路、１０：タイム発生器、１１：アドレス制御部、１２：文字発生器、１３：中央処理装置（ＣＰＵ）、１４：インタフェイス部、１５：外部通信インタフェイス部、１６：カラービデオモニタ、１７：画像記録装置、１８：ビデオプリンタ、１９：予告信号、２０：基準タイマスタート信号、２１：メモリ取込み信号、２２：操作器、２３：外部パソコン、２４：ディスプレイ、２５：スタート判定画像、２６：スタートライン、２７：１秒のライン。
【図１】
2006174202.tif 000003
【図２】
2006174202.tif 000004